(57)【特許請求の範囲】
【請求項１】
複数本の支柱を含むテントフレームと、このテントフレームに張られた平面視多角形のテント布と、重り床とを備え、
この重り床は、平面視多角形をなし、その多角形の頂点に上記の支柱の下端が取り付けられる支柱接続部が形成された総重量が１００kg以上の床であり、
上記の重り床が地面の上に設置され、上記の支柱接続部に対して上記の各テント支柱の下端が取り付けられ、重り床の重さがテントフレームに対する重りとなるものであり、
上記の重り床は、複数枚の多角形の板状体と、この板状体の荷重を支持するように配置された受け部材とを備え、
この受け部材若しくはこの受け部材に設けられた上記の板状体に上記の支柱接続部が形成されたものであり、
上記の受け部材が地面の上に設置され、上記の支柱接続部に対して上記の各テント支柱の下端が取り付けられ、受け部材及び板状体の重さがテントフレームに対する重りとなるものであり、
上記の受け部材は、複数本の枠部材を全体が平面視多角形を構成するように接続した外枠を備え、この多角形の外枠の各頂点には上記の多角形の板状体の頂点がそれぞれ配置され、且つ、この外枠の各頂点に支柱接続部が形成されたものであり、
これらの支柱接続部は、外枠の頂点を構成する２つの枠部材が直角となるように、これらの２つの枠部材同士を固定する縦支持部と、この縦支持部の上部に形成された横支持部とを備え、
この横支持部に上記のテント支柱の下端に対する固定部材が設けられ、この固定部材によって上記のテント支柱と上記の受け部材が固定されたものであることを特徴とする仮設用テント。
【請求項２】
上記の板状体は、長方形のパネルと、このパネルの下面であってパネルの４辺に沿って固定された４角柱状の角材を備え、
上記の受け部材は、全体が平面視四角形の外枠と、この外枠間に渡された中枠とを備え、
この外枠及び中枠の上面が角材載置面であり、この角材載置面に上記の各板状体の角材が載置されるものであり、
この外枠及び中枠の下面が接地面であることを特徴とする請求項１記載の仮設用テント。
【請求項３】
外枠の各頂点における上記の縦支持部は、略直角に屈曲した２面から構成される平面視略Ｌ字状の金属板から形成され、
外枠の各頂点における上記の横支持部は、上記の平面視略Ｌ字状の金属板の上部に固定される上面が平面状の金属板であり、
この横支持部に上記のテント支柱が固定されるものであることを特徴とする請求項２に記載の仮設用テント。
【請求項４】
上記の平面視略Ｌ字状の縦支持部の屈曲した２面のそのぞれの上部には、回動部材が設けられ、この２箇所の回動部材と上記の横支持部とが着脱可能に固定されたことを特徴とする請求項３に記載の仮設用テント。
【請求項５】
上記の横支持部に少なくとも２本のボルトが上方に向けて設けられ、このボルトが上記のそれぞれの回動部材とテント支柱下端とを貫いてナットで締め付けられたものであることを特徴とする請求項４に記載の仮設用テント。
【請求項６】
外枠及び中枠には載置された角材が脱落しないように、角材の側面に対して当接可能なずれ止め具が上記の上面よりも突出して形成されていることを特徴とする請求項２〜５のいずれかに記載の仮設用テント。
【請求項７】
上記の板状体の上面にはカーペットが配置され、このカーペートの上方に上記の横支持部が位置するものであることを特徴とする請求項１〜６のいずれかに記載の仮設用テント。
【請求項８】
複数本の支柱を含むテントフレームと、このテントフレームに張られた平面視多角形のテント布と、重り床とを備え、
この重り床は、平面視多角形をなし、その多角形の頂点に上記の支柱の下端が取り付けられる支柱接続部が形成された総重量が１００kg以上の床であり、
上記の重り床が地面の上に設置され、上記の支柱接続部に対して上記の各テント支柱の下端が取り付けられ、重り床の重さがテントフレームに対する重りとなるものであり、
上記の重り床は、複数枚の多角形の板状体と、この板状体の荷重を支持するように配置された受け部材とを備え、
この受け部材若しくはこの受け部材に設けられた上記の板状体に上記の支柱接続部が形成されたものであり、
上記の受け部材が地面の上に設置され、上記の支柱接続部に対して上記の各テント支柱の下端が取り付けられ、受け部材及び板状体の重さがテントフレームに対する重りとなるものであり、
上記の受け部材は、複数本の枠部材を全体が平面視多角形を構成するように接続した外枠を備え、この多角形の外枠の各頂点には上記の多角形の板状体の頂点がそれぞれ配置され、且つ、この外枠の各頂点に支柱接続部が形成されたものであり、
この支柱接続部は、外枠の頂点を構成する２つの枠部材の下部に平板状の横支持部が配位され、この横支持部の上面にテント支柱の下端が取り付けられ、上記の板状体は、テント支柱に対して干渉する部分に切欠き部が形成されたものであり、
上記の外枠は、左右の角パイプを備えると共に、前後については角パイプを接ぎ部材で接続して構成されたものであり、
前後の上記角パイプ同士は、板状のフラットバーによって構成された中枠によって接続され、
上記の左右の角パイプに沿っても、他の板状のフラットバーが設けられており、
板状体の両端を上記のフラットバー上に載せるようにしたものであることを特徴とする仮設用テント。
【請求項９】
複数本の支柱を含むテントフレームと、このテントフレームに張られた平面視多角形のテント布と、重り床とを備え、
この重り床は、平面視多角形をなし、その多角形の頂点に上記の支柱の下端が取り付けられる支柱接続部が形成された総重量が１００kg以上の床であり、
上記の重り床が地面の上に設置され、上記の支柱接続部に対して上記の各テント支柱の下端が取り付けられ、重り床の重さがテントフレームに対する重りとなるものであり、
上記の重り床は、複数枚の多角形の板状体と、この板状体の荷重を支持するように配置された受け部材とを備え、
この受け部材若しくはこの受け部材に設けられた上記の板状体に上記の支柱接続部が形成されたものであり、
上記の受け部材が地面の上に設置され、上記の支柱接続部に対して上記の各テント支柱の下端が取り付けられ、受け部材及び板状体の重さがテントフレームに対する重りとなるものであり、
上記の受け部材は、全体が平面視多角形の平板状体を備え、この平板状体の上面に上記の板状体がそれぞれ並べられて配置され、且つ、この平板状体の各頂点に支柱接続部が形成されたものであり、この支柱接続部にテント支柱の下端が取り付けられ、上記の板状体は、テント支柱に対して干渉する部分に切欠き部が形成されたものであることを特徴とする仮設用テント。
【請求項１０】
地面の上に配置される受け部材と、この受け部材に荷重が懸かるように配置された複数枚の板状体とを備え、
受け部材は、複数本の枠部材を全体が平面視多角形を構成するように接続した外枠を備え、この多角形の外枠の各頂点には上記の多角形の板状体の頂点がそれぞれ配置され、且つ、この外枠の各頂点に支柱接続部が形成されたものであり、
この支柱接続部は、外枠の頂点を構成する２つの枠部材同士を接続する縦支持部と、この縦支持の上部に形成された横支持部とを備え、
この横支持部にテント支柱の下端に対する固定部材が設けられ、
総重量が１００kg以上であることを特徴とする仮設用テントの床。
【発明の詳細な説明】
【技術分野】
【０００１】
本願発明は、テント、特に、祭事や競技会、協議会、展示会などの各種行事やイベント用として、或いは防災用、災害用に用いられる組み立て又は折り畳み式のテントに関するものである。
【背景技術】
【０００２】
従来より、祭事や運動会、競技会、展示会などの各種行事やイベントに際して用いられる組み立て又は折り畳み式のテントに関するものである。
この仮設用テントは、特許文献１や２に示すように、イベントなどの行事に際して仮設室として用いられるもので、複数本の支柱とこの支柱間に渡された屋根枠とを備えたフレームと、このフレームに張られて支持されたテント布とを備える。この種のテントの支柱は、地面にそのまま置かれるか、場合によっては、ロープやワイヤーなどの紐状体を杭で止めて地面に固定されるか、重りなどが置かれて、通常の風雨では飛ばされないように安全対策を施した上で使用される。
【０００３】
ところが、近年突風によってテントが飛ばされるという報道が散見されるようになり、その安全性の向上が求められている。しかしながら、コンクリートやアスファルトのように杭を打つことができない場所もあり、また、杭を打てる場所でも、地面の強度に問題が残る場合もあり、安全性の向上にも限界がある。また、重りを置くにしても、４本の柱それぞれに置ける重りの重量にも実際上は限りがある。
【０００４】
そこで、本願発明者は、テントに床を設けることによって、テントの重量を増やすことを想起した。このように、テントに床を設けることは、特許文献３及び４に示すように、キャンプ用テントにおいては提案されている。ところが、これらのキャンプ用テントの床は、平坦でない足場の悪いところにも設置できることを目的とするもので、床によってテントの重りの変わりをすることを提案するものではない。また、平坦でない足場の悪いところにも設置することを目的とするため、床の下方には脚を設けて、この脚の下端を接地させるものであり、床を地面の上に直接置くものではない。このように、特許文献３及び４は、床の下に伸びる脚を設けて、脚を接地させるため、安定性にかけるという欠点がある。特に、多人数が常時出入りする仮設用テントに、特許文献３、４の技術を適用しようとしても、人の出入りの度に床面及びテント全体が傾く恐れがあり、不安定なものにならざるを得ず、到底使用に耐えるものではない。
【０００５】
【特許文献１】特許第３７９７９５９号公報
【特許文献２】特許第３７４３７５４号公報
【特許文献３】特開２００３−３２８５９８号公報
【特許文献４】特開平１１−２１７９５７号公報
【発明の開示】
【発明が解決しようとする課題】
【０００６】
本願発明は、突風対策の実現を可能とした安定性の高い仮設用テントの提供を目的とする。本願発明の他の目的は、仮設用テントに床を設けることによって、居住性の向上並びにテントイメージのグレードのアップを図ることを目的とする。
【課題を解決するための手段】
【０００７】
本願の請求項１に係る発明は、複数本の支柱を含むテントフレームと、このテントフレームに張られた平面視多角形のテント布と、重り床とを備え、この重り床は、平面視多角形をなし、その多角形の頂点に上記の支柱の下端が取り付けられる支柱接続部が形成された総重量が１００kg以上の床であり、上記の重り床が地面の上に設置され、上記の支柱接続部に対して上記の各テント支柱の下端が取り付けられ、重り床の重さがテントフレームに対する重りとなるものであり、上記の重り床は、複数枚の多角形の板状体と、この板状体の荷重を支持するように配置された受け部材とを備え、
この受け部材若しくはこの受け部材に設けられた上記の板状体に上記の支柱接続部が形成されたものであり、上記の受け部材が地面の上に設置され、上記の支柱接続部に対して上記の各テント支柱の下端が取り付けられ、受け部材及び板状体の重さがテントフレームに対する重りとなるものであり、上記の受け部材は、複数本の枠部材を全体が平面視多角形を構成するように接続した外枠を備え、この多角形の外枠の各頂点には上記の多角形の板状体の頂点がそれぞれ配置され、且つ、この外枠の各頂点に支柱接続部が形成されたものであり、これらの支柱接続部は、外枠の頂点を構成する２つの枠部材が直角となるように、これらの２つの枠部材同士を固定する縦支持部と、
この縦支持部の上部に形成された横支持部とを備え、この横支持部に上記のテント支柱の下端に対する固定部材が設けられ、この固定部材によって上記のテント支柱と上記の受け部材が固定されたものであることを特徴とする仮設用テントを提供する。
本願の請求項２に係る発明は、上記の板状体は、長方形のパネルと、このパネルの下面であってパネルの４辺に沿って固定された４角柱状の角材を備え、上記の受け部材は、全体が平面視四角形の外枠と、この外枠間に渡された中枠とを備え、この外枠及び中枠の上面が角材載置面であり、この角材載置面に上記の各板状体の角材が載置されるものであり、この外枠及び中枠の下面が接地面であることを特徴とする請求項１記載の仮設用テントを提供することによって、上記の課題を解決する。
本願の請求項３に係る発明は、外枠の各頂点における上記の縦支持部は、略直角に屈曲した２面から構成される平面視略Ｌ字状の金属板から形成され、外枠の各頂点における上記の横支持部は、上記の平面視略Ｌ字状の金属板の上部に固定される上面が平面状の金属板であり、この横支持部に上記のテント支柱が固定されるものであることを特徴とする請求項２に記載の仮設用テントを提供する。
本願の請求項４に係る発明は、上記の平面視略Ｌ字状の縦支持部の屈曲した２面のそのぞれの上部には、回動部材が設けられ、この２箇所の回動部材と上記の横支持部とが着脱可能に固定されたことを特徴とする請求項３に記載の仮設用テントを提供する。
本願の請求項５に係る発明は、上記の横支持部に少なくとも２本のボルトが上方に向けて設けられ、このボルトが上記のそれぞれの回動部材とテント支柱下端とを貫いてナットで締め付けられたものであることを特徴とする請求項４に記載の仮設用テントを提供する。
本願の請求項６に係る発明は、外枠及び中枠には載置された角材が脱落しないように、角材の側面に対して当接可能なずれ止め具が上記の上面よりも突出して形成されていることを特徴とする請求項２〜５のいずれかに記載の仮設用テントを提供する。
本願の請求項７に係る発明は、上記の板状体の上面にはカーペットが配置され、このカーペートの上方に上記の横支持部が位置するものであることを特徴とする請求項１〜６のいずれかに記載の仮設用テントを提供する。
本願の請求項８に係る発明は、複数本の支柱を含むテントフレームと、このテントフレームに張られた平面視多角形のテント布と、重り床とを備え、この重り床は、平面視多角形をなし、その多角形の頂点に上記の支柱の下端が取り付けられる支柱接続部が形成された総重量が１００kg以上の床であり、上記の重り床が地面の上に設置され、上記の支柱接続部に対して上記の各テント支柱の下端が取り付けられ、重り床の重さがテントフレームに対する重りとなるものであり、上記の重り床は、複数枚の多角形の板状体と、この板状体の荷重を支持するように配置された受け部材とを備え、
この受け部材若しくはこの受け部材に設けられた上記の板状体に上記の支柱接続部が形成されたものであり、上記の受け部材が地面の上に設置され、上記の支柱接続部に対して上記の各テント支柱の下端が取り付けられ、受け部材及び板状体の重さがテントフレームに対する重りとなるものであり、上記の受け部材は、複数本の枠部材を全体が平面視多角形を構成するように接続した外枠を備え、この多角形の外枠の各頂点には上記の多角形の板状体の頂点がそれぞれ配置され、且つ、この外枠の各頂点に支柱接続部が形成されたものであり、この支柱接続部は、外枠の頂点を構成する２つの枠部材の下部に平板状の横支持部が配位され、この横支持部の上面にテント支柱の下端が取り付けられ、上記の板状体は、テント支柱に対して干渉する部分に切欠き部が形成されたものであり、上記の外枠は、左右の角パイプを備えると共に、前後については角パイプを接ぎ部材で接続して構成されたものであり、前後の上記角パイプ同士は、板状のフラットバーによって構成された中枠によって接続され、上記の左右の角パイプに沿っても、他の板状のフラットバーが設けられており、板状体の両端を上記のフラットバー上に載せるようにしたものであることを特徴とする仮設用テントを提供する。
本願の請求項９に係る発明は、複数本の支柱を含むテントフレームと、このテントフレームに張られた平面視多角形のテント布と、重り床とを備え、この重り床は、平面視多角形をなし、その多角形の頂点に上記の支柱の下端が取り付けられる支柱接続部が形成された総重量が１００kg以上の床であり、上記の重り床が地面の上に設置され、上記の支柱接続部に対して上記の各テント支柱の下端が取り付けられ、重り床の重さがテントフレームに対する重りとなるものであり、上記の重り床は、複数枚の多角形の板状体と、この板状体の荷重を支持するように配置された受け部材とを備え、この受け部材若しくはこの受け部材に設けられた上記の板状体に上記の支柱接続部が形成されたものであり、上記の受け部材が地面の上に設置され、上記の支柱接続部に対して上記の各テント支柱の下端が取り付けられ、受け部材及び板状体の重さがテントフレームに対する重りとなるものであり、上記の受け部材は、全体が平面視多角形の平板状体を備え、この平板状体の上面に上記の板状体がそれぞれ並べられて配置され、且つ、この平板状体の各頂点に支柱接続部が形成されたものであり、この支柱接続部にテント支柱の下端が取り付けられ、上記の板状体は、テント支柱に対して干渉する部分に切欠き部が形成されたものであることを特徴とする仮設用テントを提供する。
本願の請求項１０に係る発明は、地面の上に配置される受け部材と、この受け部材に荷重が懸かるように配置された複数枚の板状体とを備え、受け部材は、複数本の枠部材を全体が平面視多角形を構成するように接続した外枠を備え、この多角形の外枠の各頂点には上記の多角形の板状体の頂点がそれぞれ配置され、且つ、この外枠の各頂点に支柱接続部が形成されたものであり、この支柱接続部は、外枠の頂点を構成する２つの枠部材同士を接続する縦支持部と、この縦支持の上部に形成された横支持部とを備え、この横支持部にテント支柱の下端に対する固定部材が設けられ、
総重量が１００kg以上であることを特徴とする仮設用テントの床を提供する。
【発明の効果】
【０００８】
本願発明は、地面の上に配置される受け部材と、板状体の重量が、支柱接続部を介して固定されたテント支柱によってテント全体の重りとして作用し、テント全体の重量を増加させて安定性の高い仮設用テントを提供することができたものである。また、床を設けることによって、居住性の向上並びにテントイメージのグレードのアップを図ることができる。受け部材は、複数本の枠部材を全体が平面視多角形を構成するように接続した外枠を備え、この多角形の外枠の各頂点には上記の多角形の板状体の頂点がそれぞれ配置され、且つ、この外枠の各頂点に支柱接続部が形成されたものであり、この支柱接続部は、外枠の頂点を構成する２つの枠部材が直角となるように、これらの２つの枠部材同士を固定する縦支持部と、この縦支持部の上部に形成された横支持部とを備え、この横支持部に上記のテント支柱の下端に対する固定部材が設けられ、この固定部材によって上記のテント支柱と上記の受け部材が固定されたものであるため、地面の上にテントを張る場合と同様に、横支持部の上にテント支柱の下端を置いて固定すればよく、違和感なくテントを組み立てることができる。
上記の作用効果に加えて、請求項２の発明は、板状体を受け部材に確実に支持することができる仮設用テントを提供することができたものである。
本願の請求項３に係る発明は、平面視略Ｌ字状の金属板が用いられ、外枠の各頂点における上記の横支持部は、上記の平面視略Ｌ字状の金属板の上部に固定される上面が平面状の金属板であり、この横支持部に上記のテント支柱が固定されるものであるため、このテントの重り床を、前後方向や左右方向に増設する場合にあっても、支障なく増設が可能となる仮設用テントを提供することができたものである。
本願の請求項４に係る発明は、上記の作用効果に加えて、上記の平面視略Ｌ字状の縦支持部の屈曲した２面のそのぞれの上部には、回動部材が設けられ、この２箇所の回動部材と上記の横支持部とが着脱可能に固定されたものであるため、縦支持部に横支持部を能率的に固定することができた仮設用テントを提供するものである。
本願の請求項５に係る発明は、上記の横支持部に少なくとも２本のボルトが上方に向けて設けられ、このボルトが上記のそれぞれの回動部材とテント支柱下端とを貫いてナットで締め付けられたものであるため、少ないボルトの本数で支柱の固定を行うことができたものである。
本願の請求項６に係る発明は、外枠及び中枠には載置された角材が脱落しないように、角材の側面に対して当接可能なずれ止め具が上記の上面よりも突出して形成されているものであるため、受け部材に板状体を安定して支持することができたものである。
本願の請求項７に係る発明は、板状体の上面にはカーペットを配置することによって、外観及び居住性が向上するものである。
本願の請求項８、９にかかる発明は、板状体には、テント支柱に対して干渉する部分に切欠き部が形成されたものであるため、テント支柱を板状体の下面にまで配置することができるものである。
本願の請求項１０に係る発明は、上記の仮設用テントに適する重り床を提供するものである。
【発明を実施するための最良の形態】
【０００９】
以下、図面に基づき本願発明の実施の形態を説明する。
図１は第１の実施の形態に係るテントの斜視図である。
【００１０】
この実施の形態に係る行事用のテントは、複数本の支柱１２を含むテントフレーム１１と、このテントフレームに張られた平面視多角形のテント布１５と、総重量が重り床１００kg以上の重り床２０とを備える。
【００１１】
まず、テントフレーム１１及びテント布１５については、通常の切り妻形の屋根を備えた行事用の組み立てテントで、重り床２０を用いずとも、床なしのテントとして使用できるものである。このテントフレーム１１の支柱１２の下端には、図６に示すように横方向に広がる略円形の基板部１４が取り付けられている。この基板部１４は、支柱１２よりも広い平面積を有しており、安定して支柱１２を接地できるようにしたもので、複数個の杭止め用の穴が設けられており、基板部１４の中央に立設された支柱取付部１３を介して、支柱１２の下端にボルトナットによって固定される。このテントフレーム１１にテント布１５が常法によって取り付けられてテントが完成する。
【００１２】
次に図５に示すように、重り床２０は、複数枚の長方形の板状体２１と、受け部材３０とを備える。受け部材３０は、板状体２１の荷重が全て懸かるように配置されているもので、図２、図４に示すように、全体が平面視長方形の外枠３１を備え、外枠３１間に中枠３２が渡されている。具体的に説明すると、この例では、図５に示すように、縦４枚と横３枚の合計12枚の板状体２１が長方形に配列されており、外枠３１はその４辺に沿って形成されている。この外枠３１は長方形の４辺に位置する４本の角パイプ４５と、この長方形の頂点に位置して角パイプ４５同士を接続するコーナー部材３３とを備える。中枠３２は左右２本の角パイプ４５によって構成されている。中枠３２は、長方形の外枠３１の前後の２辺間に渡されたもので、左右方向の３分の１に配置されており、縦４枚と横３枚の合計12枚の板状体２１は、いずれも、その左右端が外枠３１及び中枠３２の角パイプ４５上に載置される。
【００１３】
コーナー部材３３は、上記の外枠３１の枠部材である角パイプ４５同士を接続すると共に、テントフレーム１１の支柱１２を支持するための支柱接続部として機能する。コーナー部材３３は、縦板３４と平面板３６とを備える。
【００１４】
縦板３４は、縦と横の２本の角パイプ４５に沿って設けられた２枚の縦板を平面視Ｌ字状にしたものである。この縦板３４には、図３（Ａ）に示すように、パイプ保持部４０が形成されている。このパイプ保持部４０は、縦板３４の下端から内側に向けて水平に延設された水平部分と、この水平部分の端部から上方に伸びる垂直部分とを備えたもので、垂直部分と縦板３４との間に角パイプ４５の端部を嵌め入れ、パイプ保持部４０の垂直部分に設けられた受け部４１に、角パイプ４５の端部に設けられた横ボルト４２を嵌め込み、ナット（図示せず）によって固定する。
【００１５】
図６に示すように、縦板３４及びパイプ保持部４０によって接続固定された角パイプ４５の上面（載置面）に、板状体２１が載置される。そして、この板状体２１の頂点を覆うようにして、平面板３６が取り付けられる。この平面板３６は、平面視矩形をなすものであり、そのうちの２辺からは下方に延びる垂下部３７を備える。この垂下部３７の下辺には受け部３８が形成されている。他方、縦板３４には、横ボルト３５が形成されており、この横ボルト３５を受け部３８に嵌め込み、ナット（図示せず）によって固定する。この平面板３６の上面には、支柱１２に対する固定部材として、縦ボルト３９が形成されている。この縦ボルト３９を、テントフレーム１１の支柱１２の下端に設けられた基板部１４の杭止め用の穴に挿通して、ナットで固定する。なお、杭止め用の穴は、前述の受け部３８、受け部４１と同様に、切り込み形状としてもよく、他方、前述の受け部３８、受け部４１を貫通穴としてもよい。また、ボルトはスタッドボルトなどで平面板３６に予め固定したものを例示したが、固定していない通常のボルトナットを用いてもよく、一部をピンなどの他の固定手段に変更して実施することもできる。
【００１６】
次に、図３（Ｂ）に示すように、外枠３１と中枠３２との接続のために、外枠３１の角パイプ４５に、一対の腕板４３が設けられている。この腕板４３には、切欠き状の受け部４４が形成されており、中枠３２の角パイプ４５の端部に設けられた横ボルト４２を受け部４４に嵌め入れて、ナットで固定する。このようにして組み立てられた受け部材３０に、板状体２１が載置される。この板状体２１は、図８に示すように、長方形状の平板２４と、その下面に取り付けられた外枠角材２２、内枠角材２３とを備える。外枠角材２２は平板２４の４辺に沿って固定され、内枠角材２３は外枠角材２２間に渡されたものである。具体的には、この受け部材３０には、イベント会場で仮設ステージを作成する際に用いられる天板と呼ばれるパネルを用いることができる。その大きさは、イベント会場によって様々ではあるが、約１８００mm×約９００mmのものが一般的である。また、平板２４の厚みは１０〜１５mmであり、板状体２１一枚の重量は約２０kgである。よって、板状体２１を12枚用いると共に、受け部材３０の重量を加えると、200kg は優に超えて、300kg に達する場合もあり、重りとして充分な重量を得ることができる。
【００１７】
なお、この板状体２１は、外枠角材２２が前述の外枠３１及び中枠３２の上面（載置面）に載置されるが、その際、外枠角材２２がずれて落ちないように、はずれ止め４６が外枠３１及び中枠３２に適宜間隔で設けられている。このはずれ止め４６は、角パイプ４５の側面に取り付けられたもので、上面（載置面）よりも突出して形成されているもので、外枠３１及び中枠３２の側面に対して、当接可能となっており、これにより、脱落が防止される。
【００１８】
以上によって、重り床２０が完成し、さらに必要に応じて、図７に示すような板状体２１の上にカーペットなどのシート状体１０１を敷いておくことにより、テント内の居住性や外観が向上する。
【００１９】
またこの重り床２０は、外周の外枠３１の下面が地面やフロアーなどの設置面の上に置かれると共に、重り床２０の厚みも２０〜１００mmであるため、多数の人が出入りしても安定性、安全性が高いものとなっている。なお、若干の水平の調整については、外枠角材２２の下に敷板を部分的に挟むなどすればよい。
【００２０】
次に、図９〜図１４に基づき第２の実施の形態を説明する。この例は、前記の第１の実施の形態の２倍の大きさを有するもので、２つのテントを別々に張ることもでき、また、大きな１つのテントを張ることもできる。
【００２１】
この例では、外枠角材２２について、図９に示すように、２本の角パイプ４５を、接続部材４８で繋いで用いる。この接続部材４８は、外枠３１の外側に、２本の角パイプ４５に跨がって配置される縦板４９を備えるものであり、この縦板４９は、先の例の縦板３４と同じ高さを有する。この縦板４９には、図１０に示すように、先の例と同様のパイプ保持部４０と腕板４３とが設けられ、これらに設けられた受け部４１及び受け部４４に、角パイプ４５に設けられた横ボルト４２を嵌め入れてナットで固定する。そして、図１３に示すように、垂下部５１を備えた平面視長方形の平面板５０を先の例と同様、ボルトナットで固定する。なお、先の例では平面板３６は２辺に垂下部５１を設けていたが、この例では、一辺に沿って形成されている。平面板５０の上面には縦ボルト３９が２組設けられており、２本の支柱１２を立てることができるものである。コーナー部材３３などの他の構成については、先の例と同様なものとして実施することができる。また、この例では、第１の例のものを左右方向（長方形の長辺に沿う方向）に延長させたが、前後方向（短辺に沿う方向）に延長させることも可能である。
【００２２】
次に、図１５〜図２６に基づきコーナー部材３３についての他の実施の形態について説明する。なお、以下の例では、先の例と実質的に同一の部分は同一の符号を付して、その説明を省略する。
【００２３】
図１５及び図１６は、第３の実施の形態を示すもので、この例では、Ｌ字状の縦板３４の折曲部分に角筒状の中央部４７を固定して設け、この中央部４７に対して角筒状のパイプ保持部４０を取り付ける。このパイプ保持部４０は、その大きさが角パイプ４５の内法に略等しく、角パイプ４５の端部にパイプ保持部４０が挿入される。そして、この縦板３４、パイプ保持部４０及び角パイプ４５を横ボルト４２が貫いてナットと螺合されることにより、縦板３４と角パイプ４５とを固定するものである。
【００２４】
次に、図１７及び図１８に基づき第４の実施の形態を説明する。この例では、パイプ保持部４０を板状材によって形成する。詳しくは、このパイプ保持部４０は、中央部４７から延設された板状体から構成されたもので、縦板３４と平行に配位されており、その上端に切り込み状の受け部４１が下方に向けて形成されている。他方、角パイプ４５の端部には、ピン５２が略水平に形成されており、この角パイプ４５を縦板３４とパイプ保持部４０との間に挿入して、ピン５２を受け部４１に嵌め込む。これにより、ボルト・ナットの螺合のような完全な固定とはならないが、縦板３４は角パイプ４５に対して上方には移動不能となる。よって、平面板３６から垂下された垂下板３７と縦板３４とをボルト・ナットで固定し、平面板３６に支柱１２を固定することによって、角パイプ４５及びこの角パイプ４５の上に載置される板状体２１の重量を重りとして支柱１２に加えることができる。よって、この例では、縦板３４と角パイプ４５とについて、ボルト・ナットの固定を省略して組み立ての迅速性を高めたものである。
【００２５】
次に、図１９〜図２１に基づき第５の実施の形態を説明する。この例では、平面板３６を縦板３４の上に載置するのではなく、縦板３４の上端よりも下に平面板３６を配置するものである。この平面板３６は、その上面に２本の縦ボルト３９を有すると共に、２辺から立ち上げ部５３が略垂直に立ち上げて形成され平面視Ｌ字状となっている。そして、この立ち上げ部５３をＬ字状の縦板３４に沿わせて固定する。この固定のために、Ｌ字状の補助片５６が別部材として用意されている。このＬ字状の補助片５６の角部分の上端には、上面部５８が形成されている。この上面部５８を縦板３４の上端に合わせると共に、補助片５６を縦板３４の外側に沿わせて、ボルト５５で固定する。また、この補助片５６には、その下辺から上方に向けて受け部５７が切欠き形成されており、縦板３４に設けられたピン５４を受け部５７に嵌め合わせることによって、１本のボルト５５のみであっても、ガタつきなく固定できる。
また、縦板３４の下端には切欠き状の受け部６０が上方に向けて形成され、この受け部６０に、角パイプ４５の外側に形成されたピン６１を嵌入して、角パイプ４５と縦板３４とを接続する。その際、固定が必要であれば、ピンの代わりにボルトを使用することができる。
【００２６】
次に、図２２〜図２４に基づき第６の実施の形態を説明する。この例でも、縦板３４の上端よりも下に平面板３６を配置し、その２辺から立ち上げられた立ち上げ部５３をＬ字状の縦板３４に沿わせて固定する。この固定のために、先の例ではＬ字状の補助片５６を用いたが、この例では、補助片５６を用いずに、横方向に長い長穴状の受け部５７を縦板３４に形成する。そして、立ち上げ部５３の外側にボルト６２を突設しておき、受け部５７に通してナットで固定するようにしたものである。
【００２７】
次に、図２５及び図２６に基づき第７の実施の形態を説明する。この例では、Ｌ字状の縦板３４に対して、それぞれ回動可能な回動部材６３を設ける。これらの回動部材６３、６３の回動軸は互いに平行ではなく、一方が他方に対して平面視１〜１７９度の角度をもって配位されている。この例では、９０度に屈曲した縦板３４に設けられたものであり、９０度の角度を有する。この２つの回動部材６３によって、平面板３６を異なる方向に回動可能に保持することによって、平面板３６は不動の状態となる。この例では、回動部材６３をＬ字状に形成し、その一端を縦板３４の上端に回動可能に接続しているが、その位置は適宜変更できるし、Ｌ字状ではなく平板状のものでもよい。また、回動部材６３の他端側には縦ボルト３９を挿通可能な受け部６４が形成されている。使用に際しては、平面板３６を縦板３４の内側に配置した状態で、縦ボルト３９を、前述の基板部１４に設けられた杭止め用の穴に挿通し、回動部材６３を回動させて受け部６４に通して、ナットで固定する。これにより、平面板３６を回動軸が平行ではない２つの回動部材６３に対して固定されることとなるため、平面板３６及び支柱１２は安定した固定状態となる。なお、縦板３４と平面板３６とは分離して設けているが、平面板３６の一端を縦板３４の一辺の上端に回動可能に接続し、他方を回動部材６３で固定するなどの方法を採用することもできる。この構造によれば、基板部１４を平面板３６に取り付けるための縦ボルト３９によって、平面板３６と縦板３４との固定も実現するため、組付けに際して、ボルト・ナットの螺合箇所を減少させることができる。
【００２８】
次に、図２７から図３２に基づき第８の実施の形態を説明する。この例では、外枠３１の内側に板状体２１を配置するようにしたものである。外枠３１は、左右１本ずつの角パイプ４５を備える一方、前後については３本ずつの角パイプ４５を接ぎ部材７４で接続して用いる。この接ぎ部材７４の両端は、角パイプ４５の内法と等しいかそれより小さい外形をなすもので、角パイプ４５に挿入して、ボルト７５で固定するものである（図２９参照）。前後の角パイプ４５同士は、中枠３２によって接続されている。この中枠３２は筒状ではなく、板状のフラットバー７１によって構成されている。またフラットバー７１は、左右の外枠３１に沿っても設けられており、板状体２１の両端をフラットバー７１上に載せるようにしたものである。このフラットバー７１の上に板状体２１を載せた状態で、板状体２１の上面が角パイプ４５の上面と略同じ高さとなる。この受け部材３０のコーナー部分には、横支持部７２が角パイプ４５に溶接などで固定されている。言い換えれば、角パイプ４５と角パイプ４５は、互いに９０度の角度をもって横支持部７２に固定されている。この横支持部７２の上面には、縦ボルト７３が設けられており、この縦ボルト７３によって支柱１２の基板部１４を固定する。この横支持部７２は角パイプ４５の下部に設けられているため、支柱１２との干渉を防ぐために、コーナー部分に位置する板状体２１には、切欠き７６が形成されている。
【００２９】
なお、この例では、角パイプ４５を横支持部７２に溶接で固定したが、図３３および図３４に示すように、横支持部７２にピン７７を立設して、角パイプ４５に設けた挿通穴に下方から通すようにしてもよい。また図示は略するが、ピンに代えて、ボルトナットによって固定するようにしてもよい。
【００３０】
次に、図３５および図３６に基づき第９の実施の形態を説明する。先の例では、板状体２１を支持するために枠体を用いたが、この例では、平板状体７８を用いるものである。この平板状体７８は、鉄板や合成樹脂板を用いることができ、必要に応じて、接続可能にしたり、ヒンジによって折り畳み可能にしてもよい。平板状体７８の四隅には、他の例と同様に、３９を設けておき、支柱１２の基板部１４を固定する。支柱１２との干渉を防ぐために、コーナー部分に位置する板状体２１には、切欠き７６が形成されている。この例の他、板状体２１同士を接続して、互いに固定して平板状体７８や枠体を用いずに実施することもできる。
【図面の簡単な説明】
【００３１】
【図１】本願発明の第１の実施の形態に係る仮設用テントの斜視図である。
【図２】同仮設用テントの受け部材の分解斜視図である。
【図３】（Ａ）は同仮設用テントの受け部材のコーナー部分の組み立て状態を示す斜視図であり、（Ｂ）は受け部材の直線部分の組み立て状態を示す斜視図である。
【図４】同仮設用テントの受け部材の斜視図である。
【図５】同仮設用テントの重り床の斜視図である。
【図６】（Ａ）〜（Ｃ）は、それぞれ同仮設用テントのコーナー部分の組み立て工程の説明図である。
【図７】同仮設用テントの平面板を取り付ける前のカーペットを敷いた重り床の斜視図である。
【図８】（Ａ）は同仮設用テントの板状体の平面図であり、（Ｂ）は同正面図である。
【図９】本願発明の第２の実施の形態に係る仮設用テントの受け部材の分解斜視図である。
【図１０】（Ａ）は同仮設用テントの受け部材のコーナー部分の組み立て状態を示す斜視図であり、（Ｂ）は受け部材の直線部分の組み立て状態を示す斜視図である。
【図１１】同仮設用テントの受け部材の斜視図である。
【図１２】同仮設用テントの重り床の斜視図である。
【図１３】（Ａ）〜（Ｃ）は、それぞれ同仮設用テントの直線部分の組み立て工程の説明図である。
【図１４】同仮設用テントの平面板を取り付ける前のカーペットを敷いた重り床の斜視図である。
【図１５】本願発明の第３の実施の形態に係る仮設用テントの受け部材のコーナー部分の分解斜視図である。
【図１６】同組み立て状態の斜視図である。
【図１７】本願発明の第４の実施の形態に係る仮設用テントの受け部材のコーナー部分の分解斜視図である。
【図１８】同組み立て状態の斜視図である。
【図１９】本願発明の第５の実施の形態に係る仮設用テントの受け部材のコーナー部分の分解斜視図である。
【図２０】同組み立て状態の外側から見た斜視図である。
【図２１】同組み立て状態の内側から見た斜視図である。
【図２２】本願発明の第６の実施の形態に係る仮設用テントの受け部材のコーナー部分の分解斜視図である。
【図２３】同組み立て状態の外側から見た斜視図である。
【図２４】同組み立て状態の内側から見た斜視図である。
【図２５】本願発明の第７の実施の形態に係る仮設用テントの受け部材のコーナー部分の分解斜視図である。
【図２６】同組み立て状態の斜視図である。
【図２７】同仮設用テントの受け部材の分解斜視図である。
【図２８】同仮設用テントの受け部材のコーナー部分の組み立て状態を示す斜視図である。
【図２９】受け部材の直線部分の組み立て状態を示す斜視図である。
【図３０】同仮設用テントの受け部材の斜視図である。
【図３１】同仮設用テントの受け部材の変更例を示す分解斜視図である。
【図３２】同仮設用テントの重り床の斜視図である。
【図３３】他の実施の形態にかかる仮設用テントの受け部材のコーナー部分の分解斜視図である。
【図３４】同組み立て状態を示す斜視図である。
【図３５】他の実施の形態にかかる仮設用テントの受け部材の分解斜視図である。
【図３６】同組み立て状態を示す斜視図である。
【符号の説明】
【００３２】
１１  テントフレーム
１２  支柱
１４  基板部
２１  板状体
２２  外枠角材
２３  内枠角材
２４  平板
３０  受け部材
３１  外枠
３３  コーナー部材
３４  縦板
３６  平面板
【図１】
0004916426.tif 000002
【図２】
0004916426.tif 000003
【図３】
0004916426.tif 000004
【図４】
0004916426.tif 000005
【図５】
0004916426.tif 000006
【図６】
0004916426.tif 000007
【図７】
0004916426.tif 000008
【図８】
0004916426.tif 000009
【図９】
0004916426.tif 000010
【図１０】
0004916426.tif 000011
【図１１】
0004916426.tif 000012
【図１２】
0004916426.tif 000013
【図１３】
0004916426.tif 000014
【図１４】
0004916426.tif 000015
【図１５】
0004916426.tif 000016
【図１６】
0004916426.tif 000017
【図１７】
0004916426.tif 000018
【図１８】
0004916426.tif 000019
【図１９】
0004916426.tif 000020
【図２０】
0004916426.tif 000021
【図２１】
0004916426.tif 000022
【図２２】
0004916426.tif 000023
【図２３】
0004916426.tif 000024
【図２４】
0004916426.tif 000025
【図２５】
0004916426.tif 000026
【図２６】
0004916426.tif 000027
【図２７】
0004916426.tif 000028
【図２８】
0004916426.tif 000029
【図２９】
0004916426.tif 000030
【図３０】
0004916426.tif 000031
【図３１】
0004916426.tif 000032
【図３２】
0004916426.tif 000033
【図３３】
0004916426.tif 000034
【図３４】
0004916426.tif 000035
【図３５】
0004916426.tif 000036
【図３６】
0004916426.tif 000037